(57)【特許請求の範囲】
【請求項１】
電子機器内の所定の個所に接続される複数本の信号線を有するワイヤハーネスと、
前記ワイヤハーネスをガイドするためのガイドフレームとを備え、
前記ガイドフレームは、前記ワイヤハーネスを前記電子機器内で所定の可動部品の可動範囲から退避させる記憶形状が記憶された形状記憶材からなり、前記ワイヤハーネスが前記電子機器内で所定の個所に接続された後に前記記憶形状に回復するようにしたことを特徴とする結線構造。
【請求項２】
前記ガイドフレームが記憶している記憶形状は、前記ワイヤハーネスの外周を巻き込んで前記ワイヤハーネスを前記可動部品の可動範囲から退避させる形状であることを特徴とする請求項１に記載の結線構造。
【発明の詳細な説明】
【０００１】
【発明の属する技術分野】
本発明は結線構造に係り、特に形状記憶材を利用した結線構造に関する。
【０００２】
【従来の技術】
ワイヤハーネスやフレキシブルプリント基板（ＦＰＣ：Flexible Print Circuit）等の結線部材を電子機器内で電子部品等の隙間に配設する際、一般に、この隙間の形状に合うように結線部材をフォーミングする。
【０００３】
従来、所定の個所に接続される導体製の線材自体（もしくは線材を保持する形状記憶合金パイプ等）に形状記憶合金を用い、配線完了形状を予め記憶させ、この線材等を任意の形状に変形して線材の端子を接続終了した後、加熱して配線完了形状に回復させるようにしたものが提案されている（特許文献１を参照）。また、ワイヤハーネスの外周を形状記憶樹脂で包み込み、この形状記憶樹脂にワイヤハーネスの配策形状を予め記憶させ、形状記憶樹脂を運搬しやすい形状に変形して運搬した後、加熱して配策形状に回復させるようにしたものが提案されている（特許文献２を参照）。また、形状記憶合金シートにＦＰＣの収納完了形状を予め記憶させ、この形状記憶合金シートを平坦な形状に変形してＦＰＣと重ね合わせた後、収納完了形状に回復させるようにしたものが提案されている（特許文献３を参照）。
【０００４】
【特許文献１】
特開平１−２４１９００号公報
【０００５】
【特許文献２】
特開平９−２５９６４３号公報
【０００６】
【特許文献３】
特開平１０−２３３５８８号公報
【０００７】
【発明が解決しようとする課題】
導体製の線材自体に形状記憶合金を用いた従来の技術では、その形状回復温度が線材の使用温度等に対して適当な温度でなければならないだけでなく、電気信号を通すために抵抗値が適当な値でなければならないので、このような両方の条件を満たす適当な形状記憶合金が線材として見つからない場合がある。
【０００８】
一方で、導体製の線材を、形状記憶合金パイプ、形状記憶樹脂あるいは形状記憶合金シートで外周から包み込むようにした従来の技術では、この外周からの包み込み作業に時間がかかってしまう。また、複数の信号線を有したワイヤハーネスでは、外周を包み込むとどうしても断面積が大きくなり、電子機器内でスペースを奪ってしまうことになる。
【０００９】
さらに、近年、電子機器の小型化及び薄型化が進んだことにより、電子部品間の非常に狭い隙間をまるで縫うようにして、複数の信号線を有したワイヤハーネスやＦＰＣを配線しなければならず、また、電子機器内でコネクタと接続するためのスペースも非常に狭くなったため、結線作業に手間取って作業コストがかかってしまう。尚、作業がどのように複雑になっても、作業コストの低減と結線の確実性及び安定性の確保とが求められることに変わりはない。さらに、配線完了形状として、カバーを閉じた後でなければ形成できないような形状が要求される場合も出て来た。
【００１０】
本発明はこのような事情に鑑みてなされたもので、複数の信号線を有したワイヤハーネスやＦＰＣ等の結線部材を結線する際の作業コストを低減するとともに、結線の確実性や安定性を容易に確保することができる結線構造を提供することを目的とする。
【００２１】
【課題を解決するための手段】
前記目的を達成するために、請求項１に記載の発明は、電子機器内の所定の個所に接続される複数本の信号線を有するワイヤハーネスと、前記ワイヤハーネスをガイドするためのガイドフレームとを備え、前記ガイドフレームは、前記ワイヤハーネスを前記電子機器内で所定の可動部品の可動範囲から退避させる記憶形状が記憶された形状記憶材からなり、前記ワイヤハーネスが前記電子機器内で所定の個所に接続された後に前記記憶形状に回復するようにしたことを特徴としている。
【００２２】
本発明によれば、電子機器内に可動部品がある場合であっても、可動範囲内にワイヤハーネスを配置して結線作業をすることができるとともに、結線作業終了後にガイドフレームが形状回復してワイヤハーネスが可動範囲から退避することになる。したがって、ワイヤハーネスを容易かつ確実にコネクタに差し込むことができるとともに、複雑なフォーミング作業が省かれ、しかも、ワイヤハーネスが電子機器内に安定して収納されることになる。ここでワイヤハーネスには形状記憶材を用いなくてもよく、その断面積は大きくする必要がない。
【００２３】
また、請求項２に記載の発明は、請求項１に記載の発明において、前記ガイドフレームが記憶している記憶形状は、前記ワイヤハーネスの外周を巻き込んで前記ワイヤハーネスを前記可動部品の可動範囲から退避させる形状である。
【００２６】
【発明の実施の形態】
以下添付図面に従って本発明に係る結線構造の好ましい実施の形態について詳説する。
【００５６】
本実施の形態では、図１に示すように、複数本の信号線を有したワイヤハーネス２１０をガイドするガイドフレーム４００を設け、このガイドフレーム４００を形状記憶材で構成し、ガイドフレーム４００により、ワイヤハーネス２１０を電子機器内の可動部品の可動範囲から退避させる。
【００５７】
尚、図１において、電子機器はカメラであり、このカメラは、撮影レンズ（図示を省略）を露出させる開状態と撮影レンズを覆う閉状態との間で可動なレンズバリア４５０を備える。ワイヤハーネス２１０は、カメラ内において、長さ方向の一端が、コネクタ３０に差し込まれ、他端が、前カバー４０ａに装着された電子部品６０に直接的に接続されている。このようなカメラでは、結線作業時及びカバー４０ａ、４０ｂを接合するまで、ワイヤハーネス２１０は、レンズバリア４５０が動く軌跡上（レンズバリア４５０の可動範囲内）にどうしても一部が入ってしまう。一方で、前カバー４０ａと後カバー４０ｂとを接合した後には、レンズバリア４５０を可動範囲の全域で可動にするため、ワイヤハーネス２１０をレンズバリア４５０の軌跡上から退避させなければならない。
【００５８】
予め、ガイドフレーム４００は、形状回復温度より低い所定の温度で、図１（ｆ）に示すような渦巻き形状が形状記憶される。
【００５９】
結線作業の前には、まず、ガイドフレーム４００を形状回復温度より高い所定の温度まで加熱する。例えば、ガイドフレーム４００に温風を当てて加熱する。次に、ガイドフレーム４００に外力を加えて伸ばし、図１（ｃ）に示すように、ワイヤハーネス２１０を引っ掛け可能な形状に変形する。
【００６０】
図１（ａ）及び（ｂ）に示すようにワイヤハーネス２１０の一端をコネクタ３０に差し込んだ後、ガイドフレーム４００を冷却して、ガイドフレーム４００を図１（ｆ）に示す渦巻き形状に形状回復させる。ここで、ガイドフレームに強制的に風を当てて形状回復を早くするようにしてもよい。ガイドフレーム４００が渦巻き形状に形状回復し、ワイヤハーネス２１０の外周を巻き込んで、図１（ｄ）及び（ｅ）に示すように、ワイヤハーネス２１０をレンズバリア４５０の軌跡上から退避させる。
【００６１】
以上説明した本実施の形態に係る結線構造によれば、可動部品がある場合であっても、その可動範囲内にワイヤハーネス２１０の一部を配置したまま結線作業をすることができるとともに、結線作業終了後にガイドフレーム４００が形状回復してワイヤハーネス２１０が可動範囲から退避することになる。したがって、ワイヤハーネス２１０を容易かつ確実にコネクタ３０に差し込むことができるとともに、複雑なフォーミング作業が省かれ、しかも、ワイヤハーネス２１０が電子機器内に安定して収納されることになる。また、カバーで覆った後にフォーミングしなければならない場合にも適用できる。ここでワイヤハーネス２１０には形状記憶材を用いなくてもよく、その断面積は大きくする必要がない。
【００６２】
尚、加熱してコネクタ３０に差し込み容易な形状に変形させ、冷却して配線完了形状に回復させる場合を例に説明した。電子機器内の電子部品には熱に弱いものもあるため、コネクタ３０への差し込み作業直前あるいは差し込み作業完了後に配線完了形状に回復させなければならない場合には、前述のように冷却して配線完了形状に回復させる方が好ましい。しかしながら、配線完了形状に回復させてから結線作業をするまでに冷却期間を設けることができる場合や、加熱温度が電子部品の保障温度範囲内であるような場合には、加熱して形状回復させるようにしてもよい。具体的には、形状回復温度以上に加熱して配線完了形状に回復させ、その後冷却する。
【００６３】
以上説明した本発明の結線構造は、自動組立機によって電子機器を組み立てる場合にも適用することができる。
【００６４】
【発明の効果】
以上説明したように本発明によれば、複数の信号線を有したワイヤハーネスやフレキシブルプリント基板（ＦＰＣ）を結線する際の作業コストが低減されるとともに、結線の確実性や安定性が容易に確保される。
【図面の簡単な説明】
【図１】本発明に係る実施の形態における結線構造を説明するための図であって、配線完了形状としてガイドフレームに可動部品の可動範囲から退避する形状を記憶させた場合の結線作業時形状及び配線完了形状の例を示す図
【符号の説明】
３０・・・コネクタ、４０ａ、４０ｂ・・・カバー、６０・・・電子部品、２１０・・・ワイヤハーネス、４００・・・ガイドフレーム、４５０・・・レンズバリア（可動部品）
【図１】
0004288664.tif 000002